(57)【要約】    【課題】既設の歩車道ブロックを残したまま、効率的に雑草の生育を防止する構造及び方法を提供すること。    【解決手段】歩道と車道との境界に配置された縁石の歩道側舗装材を所定幅剥離した後、所定深さ掘削後転圧してベース部を形成し、このベース部上に前記縁石と略同長さの雑草生育防止体をその頂部が前記歩道の表面部よりも低位置となるように配置するとともに、当該雑草生育防止体を前記縁石の歩道側をなす側壁に接着し、その後、前記雑草生育防止体を覆うように前記ベース部を埋め戻し、さらに舗装材を敷設する。また、前記雑草生育防止体は、略矩形棒状に形成され、かつその上面には凸条が長さ方向に伸延形成されていることとする。【選択図】      図４
2005090189.tif 000002
【特許請求の範囲】
【請求項１】
歩道と車道との境界に配置する縁石の歩道側をなす側壁に、頂部が前記歩道の表面部よりも低位置となるように前記縁石と略同長さの雑草生育防止体を取付け、同雑草生育防止体を覆うようにコンクリート若しくはアスファルトからなる舗装材を打設してなり、しかも、前記雑草生育防止体は略矩形棒状に形成され、かつその上面には凸条が長さ方向に伸延形成されていることを特徴とする歩・車道境界における雑草の生育防止構造。
【請求項２】
前記雑草生育防止体をコンクリートからなるブロック体としたことを特徴とする請求項１記載の歩・車道境界における雑草の生育防止構造。
【請求項３】
歩道と車道との境界に配置された縁石の歩道側舗装材を所定幅剥離した後、所定深さ掘削後転圧してベース部を形成し、このベース部上に前記縁石と略同長さの雑草生育防止体をその頂部が前記歩道の表面部よりも低位置となるように配置するとともに、当該雑草生育防止体を前記縁石の歩道側をなす側壁に接着し、その後、前記雑草生育防止体を覆うように前記ベース部を埋め戻し、さらに舗装材を敷設することを特徴とする歩・車道境界における雑草の生育防止方法。
【請求項４】
前記雑草生育防止体をコンクリートからなるブロック体としたことを特徴とする請求項３記載の歩・車道境界における雑草の生育防止構造。
【請求項５】
前記雑草生育防止体を、前記縁石の歩道側をなす側壁に樹脂系接着剤又は両面テープを介して接着することを特徴とする請求項３又は４に記載の歩・車道境界における雑草の生育防止方法。
【請求項６】
前記雑草生育防止体を、前記ベース部上に空練りモルタルを介して配置することを特徴とする請求項３〜５のいずれか１項に記載の歩・車道境界における雑草の生育防止方法。
【請求項７】
前記雑草生育防止体は、略矩形棒状に形成され、かつその上面には凸条が長さ方向に伸延形成されていることを特徴とする請求項３〜６のいずれか１項に記載の歩・車道境界における雑草の生育防止方法。
【発明の詳細な説明】
【技術分野】
【０００１】
この発明は、歩・車道境界における雑草の生育防止構造、及び歩・車道境界における雑草の生育防止方法に関するものである。
【背景技術】
【０００２】
従来、歩道と車道との境界面は、歩道のアスファルトなどの舗装材と歩・車道境界ブロックとが完全に密着していない舗装構造となっていたので、前記境界面の隙間から雑草などが生えてくることが多かった。
【０００３】
かかる雑草が育成すると景観を損なうばかりか、歩行者や自動車の運転者の見通しが損なわれて交通安全上好ましくなく、また、舗装面が破壊されることになるので、除草及び舗装面修復などのメンテナンスが必要となり、そのコストも軽視できない。
【０００４】
そこで、歩・車道間における雑草育成を防止するために、歩道の路肩において、当該歩道のレベルよりも若干低い地点から、歩道側に突出する突出部を設けた後、この突出部の上面に密接して、歩道のレベルまでアスファルトを打設する方法や、歩道の巾などを区画するために適用される直立壁の、歩道のレベルよりも若干低い地点に位置する側壁から歩道側に突出する突出部を設けた草止めコンクリート製品が提案された（例えば特許文献１を参照。）。
【０００５】
かかる方法やコンクリート製品によれば、例えば歩道と車道との境界の隙間に落ち込んだ雑草の種子などがたとえ発芽しても、根が土壌に到るためには前記突出部とアスファルトとの界面を進行しなければならなくなるので、土壌に達する前に枯れてしまうとされている。
【特許文献１】特開平１０−１０２４５４号公報
【発明の開示】
【発明が解決しようとする課題】
【０００６】
しかし、上記方法やコンクリート製品における突出部は矩形棒状の単純な構造となっており、雑草の根の進行を確実に防止できないおそれがあった。
【０００７】
また、既に完成されている歩道に防草処理を施そうとした場合、具体的にどのような方法で行うかは提案されておらず、確実な草止め効果が得られるかどうか不明であり、一方、上記コンクリート製品を用いる場合であれば、既設の縁石を全て取り壊さなければならず経済的でない。
【０００８】
本発明では、上記課題を解決することのできる歩・車道境界における雑草の生育防止構造、及び歩・車道境界における雑草の生育防止方法を提供することを目的としている。
【課題を解決するための手段】
【０００９】
（ａ）請求項１記載の本発明では、歩道と車道との境界に配置する縁石の歩道側をなす側壁に、頂部が前記歩道の表面部よりも低位置となるように前記縁石と略同長さの雑草生育防止体を取付け、同雑草生育防止体を覆うようにコンクリート若しくはアスファルトからなる舗装材を打設してなり、しかも、前記雑草生育防止体は略矩形棒状に形成され、かつその上面には凸条が長さ方向に伸延形成されている歩・車道境界における雑草の生育防止構造とした。
【００１０】
また、請求項２記載の本発明では、前記雑草生育防止体をコンクリートからなるブロック体とした。
【００１１】
（ｂ）請求項３記載の本発明では、歩道と車道との境界に配置された縁石の歩道側舗装材を所定幅剥離した後、所定深さ掘削後転圧してベース部を形成し、このベース部上に前記縁石と略同長さの雑草生育防止体をその頂部が前記歩道の表面部よりも低位置となるように配置するとともに、当該雑草生育防止体を前記縁石の歩道側をなす側壁に接着し、その後、前記雑草生育防止体を覆うように前記ベース部を埋め戻し、さらに舗装材を敷設する歩・車道境界における雑草の生育防止方法とした。
【００１２】
また、請求項４記載の本発明では、前記雑草生育防止体をコンクリートからなるブロック体とした。
【００１３】
また、請求項５記載の本発明では、前記雑草生育防止体を、前記縁石の歩道側をなす側壁に樹脂系接着剤又は両面テープを介して接着することとした。
【００１４】
また、請求項６記載の本発明では、前記雑草生育防止体を、前記ベース部上に空練りモルタルを介して配置することとした。
【００１５】
また、請求項７記載の本発明では、前記雑草生育防止体は、略矩形棒状に形成され、かつその上面には凸条が長さ方向に伸延形成されていることとした。
【発明の効果】
【００１６】
（１）請求項１記載の本発明では、歩道と車道との境界に配置する縁石の歩道側をなす側壁に、頂部が前記歩道の表面部よりも低位置となるように前記縁石と略同長さの雑草生育防止体を取付け、同雑草生育防止体を覆うようにコンクリート若しくはアスファルトからなる舗装材を打設してなり、しかも、前記雑草生育防止体は略矩形棒状に形成され、かつその上面には凸条が長さ方向に伸延形成されているために、たとえ雑草の種が発芽して地中から成長しようとしても、あるいは根が土壌まで伸延しようとしても、前記雑草生育防止体と舗装材との界面を伸延することになり、このとき、雑草生育防止体の上面に形成された凸条によって、伸延路が屈曲するとともに延長されるので、根や茎の生育伸延を確実に防止して、歩・車道境界における雑草の生育を確実に防止できる。
【００１７】
（２）請求項２記載の本発明では、前記雑草生育防止体をコンクリートからなるブロック体としたために、上記（１）の効果に加え、縁石と一体構造とすることもできるし、別体として取付ける場合も施工が容易となり、またコスト的にも有利となる。
【００１８】
（３）請求項３記載の本発明では、歩道と車道との境界に配置された縁石の歩道側舗装材を所定幅剥離した後、所定深さ掘削後転圧してベース部を形成し、このベース部上に前記縁石と略同長さの雑草生育防止体をその頂部が前記歩道の表面部よりも低位置となるように配置するとともに、当該雑草生育防止体を前記縁石の歩道側をなす側壁に接着し、その後、前記雑草生育防止体を覆うように前記ベース部を埋め戻し、さらに舗装材を敷設するようにしたために、既設の歩道であっても容易に雑草の生育防止が図れる。
【００１９】
（４）請求項４記載の本発明では、前記雑草生育防止体をコンクリートからなるブロック体としたために、上記（１）の効果に加え、既設の縁石とも馴染みよく容易に接着できるとともに、コスト的にも有利となる。
【００２０】
（５）請求項５記載の本発明では、前記雑草生育防止体を、前記縁石の歩道側をなす側壁に樹脂系接着剤又は両面テープを介して接着することとしたために、接着性、作業性がより良好となり、上記（４）の効果をさらに高めることができる。
【００２１】
（６）請求項６記載の本発明では、前記雑草生育防止体を、前記ベース部上に空練りモルタルを介して配置することとしたために、上記（３）〜（５）の効果に加え、雑草生育防止体を載置する際の位置決めが容易で、また施工後水分を吸収して固化し、歩道と車道との境界近傍となるベース部からの雑草の育成をより強固に阻むことができる。
【００２２】
（７）請求項７記載の本発明では、前記雑草生育防止体は、略矩形棒状に形成され、かつその上面には凸条が長さ方向に伸延形成されていることとしたために、雑草の種が発芽して地中から成長しようとしても、あるいは根が土壌まで伸延しよとしても、前記雑草生育防止体と舗装材との界面を伸延することになり、このとき、雑草生育防止体の上面に形成された凸条によって、伸延路が屈曲するとともに延長されるので、根や茎の生育伸延を確実に防止して、歩・車道境界における雑草の生育防止をより高めることができる。
【発明を実施するための最良の形態】
【００２３】
本発明は、歩道と車道との境界に配置する縁石の歩道側をなす側壁に、頂部が前記歩道の表面部よりも低位置となるように前記縁石と略同長さの雑草生育防止体を取付け、同雑草生育防止体を覆うようにコンクリート若しくはアスファルトからなる舗装材を打設してなり、しかも、前記雑草生育防止体は略矩形棒状に形成され、かつその上面には凸条が長さ方向に伸延形成されている歩・車道境界における雑草の生育防止構造としたものである。
【００２４】
上記構造によれば、歩道の縁石と歩道との隙間などにおいて、飛来した雑草種子が発芽しても、その根は略矩形棒状に形成された前記雑草生育防止体とその上面の舗装材との界面を進行しなければ土壌に達することができず、しかも、前記雑草生育防止体の上面には凸条が長さ方向に伸延形成されているので、根の進行はより確実に阻まれる。したがって、根は土壌に達することができず、雑草は枯れてしまい、その生育を阻むのである。
【００２５】
上記構造を実現する場合、前記雑草生育防止体はコンクリートからなるブロック体とすることが好ましい。コンクリートのブロック体であれば、縁石と一体構造とすることもできるし、別体として取付けることによって構築することもできる。なお、必ずしもコンクリートに限るものではなく、鉄などの金属、硬質合成樹脂などからなるブロック体であってもよい。特に、金属の場合は日中に高温となりやすく、雑草の根に大きなダメージを与えることが可能となる。
【００２６】
また、既設の歩道などにおいて、前記雑草生育防止体を後付けして歩・車道境界における雑草の生育を防止する方法として下記の方法がある。これは、とりもなおさず前記歩・車道境界における雑草の生育防止構造を構築する方法となるのであるが、歩道と車道との境界に配置された縁石の歩道側舗装材を所定幅剥離した後、所定深さ掘削後転圧してベース部を形成し、このベース部上に前記縁石と略同長さの雑草生育防止体をその頂部が前記歩道の表面部よりも低位置となるように配置するとともに、当該雑草生育防止体を前記縁石の歩道側をなす側壁に接着し、その後、前記雑草生育防止体を覆うように前記ベース部を埋め戻し、さらにアスファルトやコンクリートなどからなる舗装材を敷設するのである。
【００２７】
このとき、前記雑草生育防止体を前記縁石の歩道側をなす側壁に接着する場合、例えばエポキシ樹脂系接着剤などの樹脂系接着剤又はテープの表裏面に粘着性を付与した所謂両面テープを用いることができる。
【００２８】
すなわち、エポキシ樹脂系接着剤であればコンクリート製品においては一般的に用いられており、十分な接着強度が期待できる。また、両面接着材を用いる場合は作業性が良好であり、施工効率を高めることができる。なお、その他の接着材料としてモルタルを用いても構わない。
【００２９】
前記雑草生育防止体を前記ベース上に載置する場合は、この雑草生育防止体の経年的な歪などを防止するために、前記ベース部上に空練りモルタルを敷き、この空練りモルタルを介して配置するとよい。
【００３０】
空練りモルタルは約２０ｍｍ程度の厚みでよく、雑草生育防止体が沈み込むことなく所望する高さで配置することが可能となり、施工後は水分を吸収して固化し、雑草の根や茎が歩道と車道との境界近傍となるベース部から育成することをより強固に阻むことが可能となる。
【００３１】
ところで、前記雑草生育防止体は、略矩形棒状に形成され、その上面には凸条が長さ方向に伸延形成されているものを用いるとよく、前述したように、根の進行をより確実に阻み、雑草を枯らすことが可能となる。凸条の形状については、密接する舗装材との界面が屈曲して界面距離（根の進行距離）が長くなる形状であればよく、屈曲経路が複雑で、かつ根の進行距離が長くなるほど防草効果は高まるが、断面矩形形状のような単純な形状のものでも構わない。
【００３２】
以下、この発明の実施形態の一例を、図面を参照しながら説明する。
【００３３】
図１は本発明の要部をなす雑草生育防止体としての防草ブロックの正面図、図２は同側面図、図３は同斜視図である。
【００３４】
本実施形態の防草ブロック１は、型枠によりコンクリートで一体成形されており、図示するように、幅Ｄ：高さＨを１：２とした断面視矩形形状の長尺棒状のブロック本体１０の上面１０ａ中央に、長さ方向に伸延する凸条１１を一体的に形成している。本実施の形態では、ブロック本体１０の幅Ｄを５０ｍｍ、高さＨを１００ｍｍ、長さＬを６００ｍｍとするとともに、前記凸条１１は断面視矩形形状とし、その幅ｄと高さｈをそれぞれ１０ｍｍとしている。
【００３５】
かかる構成の防草ブロック１を用いた雑草の生育防止構造を、既設の歩道２に適用する場合について説明する。
【００３６】
図４に本発明に係る歩・車道境界における雑草の生育防止方法を採用して上記防草ブロック１を用いた雑草の生育防止構造を構築する工程を示す。図４中、３は既設の歩道２の縁石となる歩車道境界ブロックであり、ここでは高さＨ’が２５０ｍｍ、幅Ｄ’が２０５ｍｍのものを用いている。また、４は車道を示し、４０はこの車道４の舗装材であるアスファルトである。
【００３７】
図４（ａ）に示すように、歩道２と車道４とは、前記歩車道境界ブロック３による段差によって区切られており、歩道２側は土壌２０上にアスファルト２１からなる舗装材で被覆されている。
【００３８】
かかる既設の歩道２において、先ず、図４（ｂ）に示すように、歩道２のアスファルト２１を、歩車道境界ブロック３より歩道側に約３０ｃｍ程度掘削する。そして、深さが１５〜２０ｃｍ程度となるように均し、適宜転圧してベース部５を形成する。ここでは転圧後の深さを１６ｃｍ程度としている。
【００３９】
次いで、図４（ｃ）に示すように、転圧した前記ベース部５上に空練りモルタル６を２ｃｍ程度の厚みで敷く。
【００４０】
その後、図４（ｄ）に示すように、空練りモルタル６上に、前記防草ブロック１を載置するが、その際に、この防草ブロック１を前記歩車道境界ブロック３の歩道側面をなす側壁３０にエポキシ樹脂系接着剤７を介して接着する。
【００４１】
このように、空練りモルタル６を敷き、その上に防草ブロック１を載置して、かつエポキシ樹脂系接着剤７により歩車道境界ブロック３に接着しているので、後の工程においてもさらに全ての工程を終了した後においても防草ブロック１の位置ずれなどが生じることがない。
【００４２】
最後に、図４（ｅ）に示すように、ベース部５を修復する。すなわち、土壌２０を埋め戻し、舗装材であるアスファルト２１を打設して仕上げるのである。
【００４３】
以上の工程により、歩道２と車道４との境界に配置する縁石である歩車道境界ブロック３の歩道側をなす側壁３０に、頂部が前記歩道２の表面部よりも低位置となるように前記歩車道境界ブロック３と略同長さの防草ブロック１が取付けられるとともに、同防草ブロック１を覆うようにアスファルト２１が敷設され、しかも、前記防草ブロック１は略矩形棒状に形成され、かつその上面には凸条１１が長さ方向に伸延形成された歩・車道境界における雑草の生育防止構造が既設の歩道２に構築される。
【００４４】
このように、既設の歩道２に防草ブロック１を後付けすることによって、既設の歩車道境界ブロック３を無駄にすることなく簡単に歩・車道境界における雑草の生育防止構造が構築でき、雑草などが歩車道境界から成長して伸びることを効果的に防止することができる。
【００４５】
したがって、雑草により街の景観が損なわれることを防止でき、かつ見通しがよくなって交通安全にも寄与することができ、しかも雑草処理などのメンテナンスも不要となる。
【図面の簡単な説明】
【００４６】
【図１】本発明の要部をなす雑草生育防止体の正面図である。
【図２】同側面図である。
【図３】同斜視図である。
【図４】本発明に係る歩・車道境界における雑草の生育防止構造を構築するための工程を示す説明図である。
【符号の説明】
【００４７】
１  防草ブロック（雑草生育防止体）
２  歩道
３  歩車道境界ブロック（縁石）
４  車道
５  ベース部
６  空練りモルタル
７  エポキシ樹脂系接着剤
１０  本体
１０ａ  上面
１１  凸条
２０  土壌
２１，４０  アスファルト（舗装材）
【図１】
2005090189.tif 000003
【図２】
2005090189.tif 000004
【図３】
2005090189.tif 000005
【図４】
2005090189.tif 000006